(57)【要約】【課題】  送信相手端末の再生能力に応じたマルチメディアデータのファイルを送受信する通信端末装置を提供する。【解決手段】  相手端末におけるマルチメディアファイルの再生能力を表すプロファイルを相手端末のメールアドレスと対応付けてプロファイル蓄積部２２に記録しておく。マルチメディアファイル蓄積部２４はマルチメディアファイルを格納しておく。メールアドレスに送信するマルチメディアファイルをマルチメディアファイル蓄積部２２から取り出して、プロファイル蓄積部２４から取り出した、メールアドレスと対応付けられたプロファイルと比較し、マルチメディアファイルがプロファイルを満たさない場合にはファイル変換部１３によってプロファイルを満たすように変換して送信用のマルチメディアファイルを得てメールを作成する。【選択図】  図２
2005250976.tif 000002
【特許請求の範囲】
【請求項１】
マルチメディアファイルをメールとして送受信する通信端末装置において、
送信相手先におけるマルチメディアファイルの再生能力を表すプロファイルを前記相手先のメールアドレスと対応付けて記録するプロファイル蓄積部と、
メールの送信の対象となるマルチメディアファイルを格納するマルチメディアファイル蓄積部と、
マルチメディアファイルのフォーマットおよびサイズの少なくとも一方を変換するファイル変換部と、
前記メールアドレスに送信するマルチメディアファイルを前記マルチメディアファイル蓄積部から取り出して、前記プロファイル蓄積部から取り出した、前記メールアドレスに対応付けられたプロファイルと比較し、前記マルチメディアファイルが前記プロファイルを満たさない場合には前記ファイル変換部によって前記プロファイルを満たすように前記マルチメディアファイルを変換し、送信用のマルチメディアファイルを得るマルチメディアファイル取得部と、
を備えることを特徴とする通信端末装置。
【請求項２】
メールを送信する相手先のメールアドレスを記録するアドレス蓄積部と、
前記相手先におけるマルチメディアファイルの再生能力を表すプロファイルを前記メールアドレスと対応付けて記録するプロファイル蓄積部と、
メールの送信の対象となるマルチメディアファイルを格納するマルチメディアファイル蓄積部と、
マルチメディアファイルのフォーマットおよびサイズの少なくとも一方を変換するファイル変換部と、
送信先のメールアドレスを前記アドレス蓄積部から読出すアドレス読出部と、
前記メールアドレスに対応するプロファイルを前記プロファイル蓄積部から読出すプロファイル読出部と、
前記メールで送信するマルチメディアファイルを前記マルチメディアファイル蓄積部から読出して前記プロファイル読出部から読み出した前記プロファイルと比較し、前記マルチメディアファイルが前記プロファイルを満たす場合には前記マルチメディアファイルを送信用マルチメディアファイルとしてメール作成部に出力し、前記マルチメディアファイルが前記プロファイルを満たさない場合には前記ファイル変換部によって前記プロファイルを満たすように前記マルチメディアファイルを変換して得た送信用マルチメディアファイルをメール作成部に出力するマルチメディアファイル取得部と、
前記アドレス読出部から前記メールアドレスを得て、前記マルチメディアファイル取得部から前記送信用マルチメディアファイルを入力してメールを作成する前記メール作成部と、
前記メール作成部で作成された前記メールをネットワークを介して送信する通信部と、
を備えることを特徴とする通信端末装置。
【請求項３】
ネットワークを介してメールを受信するメール受信部と、
前記メール受信部で受信した前記メールに含まれる受信用マルチメディアファイルが前記通信端末装置で再生可能であるか否かを判断して、前記受信用マルチメディアファイルが再生不可能である場合には前記通信端末装置でのマルチメディアファイルの再生能力を表す自端末プロファイル情報を出力するマルチメディアファイル解析部と、
前記メールの送信元への配達通知用メールを作成し、前記マルチメディアファイル解析部から前記自端末プロファイル情報を入力して前記配達通知用メールに付加する配達通知送信部と、
を備え、
前記配達通知送信部で作成された前記配達通知用メールをネットワークを介して返信することを特徴とする請求項１又は２記載の通信端末装置。
【請求項４】
ネットワークを介してメールを受信するメール受信部と、
前記メール受信部で受信した前記メールが配達通知用メールである場合に前記配達通知用メールに含まれるプロファイル情報を解析して、前記メールの送信元のアドレスと関連付けて前記プロファイル蓄積部に前記プロファイル情報を蓄積するプロファイル解析更新部と、
を備えることを特徴とする請求項１又は２記載の通信端末装置。
【請求項５】
前記プロファイル情報は、再生可能なファイルフォーマットおよび再生可能なファイルサイズの少なくとも一方を示す情報を含むことを特徴とする請求項１〜４のいずれか一に記載の通信端末装置。
【請求項６】
前記マルチメディアファイルは、静止画像、動画像、音楽、及び音声の少なくとも一つの符号化されたデータからなることを特徴とする請求項１〜４のいずれか一に記載の通信端末装置。
【請求項７】
メールを送信する相手先のメールアドレスを記録するアドレス蓄積部と、
前記相手先におけるマルチメディアファイルの再生能力を表すプロファイルを前記メールアドレスと対応付けて記録するプロファイル蓄積部と、
メールの送信の対象となるマルチメディアファイルを格納するマルチメディアファイル蓄積部と、
を備える通信端末装置を構成するコンピュータに、
前記アドレス蓄積部から送信先のメールアドレスを読出す処理と、
前記プロファイル蓄積部から前記送信先のプロファイルを読出す処理と、
前記マルチメディアファイル蓄積部から前記送信先へ送るマルチメディアファイルを読出す処理と、
前記マルチメディアファイルを前記プロファイルと比較する処理と、
前記マルチメディアファイルが前記プロファイルを満たす場合には前記マルチメディアファイルを送信用マルチメディアファイルとし、前記マルチメディアファイルが前記プロファイルを満たさない場合には前記マルチメディアファイルのフォーマットおよびサイズの少なくとも一方を変換して送信用マルチメディアファイルとする処理と、
前記アドレス蓄積部から前記メールアドレスを得て、前記送信用マルチメディアファイルを入力してメールを作成する処理と、
作成された前記メールをネットワークを介して送信する処理と、
を実行させるプログラム。
【請求項８】
請求項７記載のプログラムにおいて、
ネットワークを介してメールを受信する処理と、
受信した前記メールに含まれる受信用マルチメディアファイルが前記通信端末装置で再生可能であるか否かを判断して、前記受信用マルチメディアファイルが再生不可能である場合には前記通信端末装置でのマルチメディアファイルの再生能力を表す自端末プロファイル情報を出力する処理と、
前記メールの送信元への配達通知用メールを作成し、前記自端末プロファイル情報を入力して前記配達通知用メールに付加する処理と、
前記配達通知用メールをネットワークを介して返信する処理と、
を前記コンピュータに実行させるプログラム。
【請求項９】
請求項７記載のプログラムにおいて、
ネットワークを介してメールを受信する処理と、
受信した前記メールが配達通知用メールである場合に前記配達通知用メールに含まれるプロファイル情報を解析して、前記メールの送信元のアドレスと関連付けて前記プロファイル蓄積部に前記プロファイル情報を蓄積する処理と、
を前記コンピュータに実行させるプログラム。
【発明の詳細な説明】
【技術分野】
【０００１】
本発明は、通信端末装置およびメール送受信用のプログラムに関し、特にメールの送受信機能を備える通信端末装置およびこの装置で実行されるプログラムに関する。
【背景技術】
【０００２】
携帯電話などの通信端末装置の普及に伴い、静止画像、動画や音楽などのマルチメディアデータのファイルをメールとして送受信して再生するニーズが高まっている。一方、マルチメディアデータのファイルには、様々な形式のデータが存在し、送信したファイルを受信しても受信側端末の機能によっては再生できない場合も起こり得る。このような場合に対処するために、例えば、特許文献１には、サウンド情報を含むメールをネットワークに一旦蓄積し、サウンド情報を配送先の装置の配送種別に応じて再生可能な情報形態に変換し、変換された情報形態で配送先の装置のプロトコルを用いて配送する方法が開示されている。この方法では、マルチメディアデータをサウンド情報に特化し、サウンド情報の変換をネットワーク上のシステムで行っている。また、送信相手となる端末は、電話端末、ファクシミリ端末、あるいは電子メール端末に区分けされ、システムがそれぞれに適した情報形態に変換して送信している。
【０００３】
また、特許文献２には、受信側で再生不可能な添付ファイルが受信側ユーザの端末装置に送信されないようにした情報端末装置が開示されている。この装置は、添付ファイル情報の記憶エリアに、メールの送信相手先に対応付けて相手ユーザが再生可能な添付ファイルの属性を表す拡張子を予め記憶しておく。添付ファイル付きメールを送信する際に、記憶エリア内の拡張子の情報をもとに、添付ファイルが送信相手先の端末において再生可能か否かを判定する。再生可能なファイルであれば、添付ファイルをそのまま添付して送信し、再生不可能なファイルであれば、添付ファイルを削除してメール本文のみを送信する。
【０００４】
【特許文献１】特開２００２−４４２５０号公報  （図２）
【特許文献２】特開２００３−１９６２１９号公報  （図１）
【発明の開示】
【発明が解決しようとする課題】
【０００５】
特許文献１の方法では、マルチメディアデータをサウンド情報に特化しているために、多様なマルチメディアデータのファイルを添付して送信することができず、サービス性が劣る。また、サウンド情報の変換をネットワークにあるシステムで行っているために、そのシステムが提供するサービスに加入しない限り、サウンド情報の変換を行ったメールを送信することができない。さらに、送信相手となる端末は、電話端末、ファクシミリ端末、あるいは電子メール端末といった大まかな種別にしか区分けされておらず、端末固有の再生機能を配慮していない。例えば、電子メール端末であっても、あるプロトコルに従ったサウンド情報を再生することはできても、他のプロトコルに従ったサウンド情報を再生できない場合もありうる。すなわち、送信相手となる端末の詳細なマルチメディアデータの再生能力を考慮してファイルの送信を行わないために無駄なトラフィックが発生する可能性がある。
【０００６】
また、特許文献２に開示された装置では、受信側で再生不可能な添付ファイルは、削除され、メール本文のみを送信するようにしている。しかしながら、昨今の通信端末装置は、多様化し、相手端末における再生能力には様々なレベルが存在する。したがって、添付ファイルが相手端末において再生可能か否かのみを判定し、判定結果に応じて送るか削除するかといった二者択一するだけでは不充分な場合が存在する。すなわち、添付ファイルに所定の変換を施すことで相手端末の能力によっては再生できる場合があるにもかかわらず、送信されないといったサービス性の低下をきたしてしまう虞があった。
【０００７】
本発明の目的は、送信相手先の再生能力を考慮してマルチメディアデータのファイルを送受信する通信端末装置を提供することにある。
【課題を解決するための手段】
【０００８】
前記目的を達成するために、本発明に係る通信端末装置は、第１の視点によれば、マルチメディアファイルをメールとして送受信する装置である。この装置において、送信相手先におけるマルチメディアファイルの再生能力を表すプロファイルを相手先のメールアドレスと対応付けて記録するプロファイル蓄積部と、メールの送信の対象となるマルチメディアファイルを格納するマルチメディアファイル蓄積部と、を備える。また、マルチメディアファイルのフォーマットおよびサイズの少なくとも一方を変換するファイル変換部と、メールアドレスに送信するマルチメディアファイルをマルチメディアファイル蓄積部から取り出して、プロファイル蓄積部から取り出した、メールアドレスに対応付けられたプロファイルと比較し、マルチメディアファイルがプロファイルを満たさない場合にはファイル変換部によってプロファイルを満たすようにマルチメディアファイルを変換し、送信用のマルチメディアファイルを得るマルチメディアファイル取得部と、を備える。
【０００９】
本発明に係る通信端末装置は、第２の視点によれば、メールを送信する相手先のメールアドレスを記録するアドレス蓄積部と、相手先におけるマルチメディアファイルの再生能力を表すプロファイルをメールアドレスと対応付けて記録するプロファイル蓄積部と、メールの送信の対象となるマルチメディアファイルを格納するマルチメディアファイル蓄積部と、を備える。また、マルチメディアファイルのフォーマットおよびサイズの少なくとも一方を変換するファイル変換部と、送信先のメールアドレスをアドレス蓄積部から読出すアドレス読出部と、メールアドレスに対応するプロファイルをプロファイル蓄積部から読出すプロファイル読出部と、メールで送信するマルチメディアファイルをマルチメディアファイル蓄積部から読出してプロファイル読出部から読み出したプロファイルと比較し、マルチメディアファイルがプロファイルを満たす場合にはマルチメディアファイルを送信用マルチメディアファイルとしてメール作成部に出力し、マルチメディアファイルがプロファイルを満たさない場合にはファイル変換部によってプロファイルを満たすようにマルチメディアファイルを変換して得た送信用マルチメディアファイルをメール作成部に出力するマルチメディアファイル取得部と、を備える。さらに、アドレス読出部からメールアドレスを得て、マルチメディアファイル取得部から送信用マルチメディアファイルを入力してメールを作成するメール作成部と、メール作成部で作成されたメールをネットワークを介して送信する通信部と、を備える。
【００１０】
本発明において、好ましくは、ネットワークを介してメールを受信するメール受信部と、メール受信部で受信したメールに含まれる受信用マルチメディアファイルが通信端末装置で再生可能であるか否かを判断して、受信用マルチメディアファイルが再生不可能である場合には通信端末装置でのマルチメディアファイルの再生能力を表す自端末プロファイル情報を出力するマルチメディアファイル解析部と、メールの送信元への配達通知用メールを作成し、マルチメディアファイル解析部から自端末プロファイル情報を入力して配達通知用メールに付加する配達通知送信部と、を備え、配達通知送信部で作成された配達通知用メールをネットワークを介して返信するように構成されてもよい。
【００１１】
また、本発明において、好ましくは、ネットワークを介してメールを受信するメール受信部と、メール受信部で受信したメールが配達通知用メールである場合に配達通知用メールに含まれるプロファイル情報を解析して、メールの送信元のアドレスと関連付けてプロファイル蓄積部にプロファイル情報を蓄積するプロファイル解析更新部と、を備えるように構成されてもよい。
【００１２】
本発明に係るプログラムは、第３の視点によれば、メールを送信する相手先のメールアドレスを記録するアドレス蓄積部と、相手先におけるマルチメディアファイルの再生能力を表すプロファイルをメールアドレスと対応付けて記録するプロファイル蓄積部と、メールの送信の対象となるマルチメディアファイルを格納するマルチメディアファイル蓄積部と、を備える通信端末装置を構成するコンピュータで実行される。このプログラムは、アドレス蓄積部から送信先のメールアドレスを読出す処理と、プロファイル蓄積部から送信先のプロファイルを読出す処理と、マルチメディアファイル蓄積部から送信先へ送るマルチメディアファイルを読出す処理と、マルチメディアファイルをプロファイルと比較する処理と、マルチメディアファイルがプロファイルを満たす場合にはマルチメディアファイルを送信用マルチメディアファイルとし、マルチメディアファイルがプロファイルを満たさない場合にはマルチメディアファイルのフォーマットおよびサイズの少なくとも一方を変換して送信用マルチメディアファイルとする処理と、アドレス蓄積部からメールアドレスを得て、送信用マルチメディアファイルを入力してメールを作成する処理と、作成されたメールをネットワークを介して送信する処理と、を実行させる。
【００１３】
本発明において、好ましくは、ネットワークを介してメールを受信する処理と、受信したメールに含まれる受信用マルチメディアファイルが通信端末装置で再生可能であるか否かを判断して、受信用マルチメディアファイルが再生不可能である場合には通信端末装置でのマルチメディアファイルの再生能力を表す自端末プロファイル情報を出力する処理と、メールの送信元への配達通知用メールを作成し、自端末プロファイル情報を入力して配達通知用メールに付加する処理と、配達通知用メールをネットワークを介して返信する処理と、を実行させる。
【００１４】
また、本発明において、好ましくは、ネットワークを介してメールを受信する処理と、受信したメールが配達通知用メールである場合に配達通知用メールに含まれるプロファイル情報を解析して、メールの送信元のアドレスと関連付けてプロファイル蓄積部にプロファイル情報を蓄積する処理と、を実行させる。
【００１５】
なお、本発明において、プロファイルとは、符号化による圧縮機能のセットを属性情報として定めたものをいう。
【発明の効果】
【００１６】
本発明によれば、マルチメディアファイルを送信する場合に、受信端末側で再生することのできるファイルフォーマットやサイズ等の情報、あるいは個々の受信ユーザが受信メッセージとして許容するファイルフォーマットやサイズ等の情報を送信側端末内にプロファイルとしてアドレス帳等とともに保存しておき、メッセージ送信時に、プロファイルを参照した上で送信対象のマルチメディアファイルを受信ユーザに最適なフォーマットやサイズに自動的に変換した上で送信する。したがって、送信ユーザは受信ユーザを意識することなく簡易な操作で最適なメール送信を行うことができ、サービス性が向上する。
【００１７】
また、一度受信端末側のプロファイルを登録しておけば、マルチメディアファイルを受信ユーザに最適なフォーマットやサイズに自動的に変換して送信するので、受信側で再生できないようなマルチメディアファイルを送信することで発生する無駄なトラフィックを低減することができる。
【００１８】
さらに、受信側のプロファイル情報を、必要に応じて受信端末からの配達通知等の通知情報に付加して返信することで、送信側の端末装置のプロファイル情報が自動的に更新され、送信時の操作性がより向上する。
【発明を実施するための最良の形態】
【００１９】
次に、本発明の実施形態について図面を参照して説明する。図１は、本発明の実施形態に係る通信端末装置の機能を模式的に表す図である。図１において、通信端末装置１０は、ネットワーク１２を介して通信端末装置１１とのメール１４の送受信を行う。メール１４は、マルチメディアデータのファイルを含むものである。マルチメディアデータのファイル、例えば画像ファイル１５は、通信端末装置１１における画像ファイルの再生能力に合わせて、必要に応じて通信端末装置１０に内蔵されるファイル変換部１３により、画像ファイル１６に変換されて送信される。
【００２０】
通信端末装置１０は、メール送信相手となる通信端末装置１１のマルチメディアデータの再生能力を表すプロファイルを通信端末装置１１のメールアドレスと対応付けて記憶しておく。また、送信するマルチメディアデータを格納しておく。さらに、マルチメディアデータのフォーマットあるいはサイズを変換するファイル変換部１３を備える。通信端末装置１１に送信するマルチメディアデータを読み出して、通信端末装置１１に対応付けられたプロファイルと比較し、読み出したマルチメディアデータがプロファイルを満たさない場合にはファイル変換部１３によってプロファイルを満たすように変換して送信用のマルチメディアデータを作成する。作成されたマルチメディアデータを通信端末装置１１に送信する。
【００２１】
通信端末装置１０は、以上のように構成され、送信相手となる端末の再生能力を把握し、再生能力に応じたマルチメディアデータのファイルを送信するように動作する。すなわち、マルチメディアデータのファイル（マルチメディアメッセージとも称する）を送信する場合に、受信端末側で再生することのできるファイルフォーマットやサイズ等の情報、あるいは個々の受信ユーザが受信メッセージとして許容するファイルフォーマットやサイズ等の情報を通信端末装置１０内にプロファイルとして送信先のアドレス情報等と対応付けて保存しておく。メッセージ送信時には、プロファイルを参照した上で送信対象となるマルチメディアファイルを受信ユーザに最適なフォーマットやサイズに自動的に変換した上で送信する。
【００２２】
したがって、受信側で再生できないようなマルチメディアメッセージを送信することで発生する無駄なトラフィックを低減することができる。また、送信しようとする相手ユーザ毎に最適なフォーマット変換やサイズ変換を自動的に行うため、送信ユーザは、受信ユーザの端末側での再生能力を意識することなく簡易な操作で最適なメール送信をすることが可能となる。
【実施例１】
【００２３】
次に、本発明の実施例について、図を参照して説明する。図２は、本発明の第１の実施例に係る通信端末装置の構成を示すブロック図である。
【００２４】
図２において、通信端末装置１０ａは、アドレス蓄積部２０、アドレス読出部２１、プロファイル蓄積部２２、プロファイル読出部２３、マルチメディアファイル蓄積部２４、マルチメディアファイル取得部２５、ファイル変換部１３、メール作成部２８、通信部２９を備える。また、ファイル変換部１３は、ファイルフォーマット変換部２６およびファイルサイズ変更部２７を備える。
【００２５】
アドレス蓄積部２０は、アドレス帳に相当するものであって、メールの送信相手のアドレスが蓄えられる。また、プロファイル蓄積部２２には、メールの送信相手におけるマルチメディアデータの再生能力を表すプロファイルが送信相手のアドレスと対応付けがなされて蓄えられる。さらに、マルチメディアファイル蓄積部２４には、メールとして送信される、静止画像、動画や音楽などのマルチメディアデータのファイルが蓄えられる。
【００２６】
また、プロファイル読出部２３は、受信側のメールアドレスと関連付けがなされた、受信側のプロファイルの情報をプロファイル蓄積部２２から取得する。すなわち、プロファイル蓄積部２２には、メール受信側で受信を許容するマルチメディアファイルのフォーマットやサイズの情報もしくは受信端末が再生可能なマルチメディアファイルのフォーマットやサイズの情報が保存される。
【００２７】
マルチメディアファイル取得部２５は、メール送信しようとするマルチメディアデータのファイルをマルチメディアファイル蓄積部２４から取得し、プロファイル読出部２３が読出したプロファイルの情報と照合して必要に応じてファイル変換部１３にファイルの変換を要求する。ファイル変換部１３は、ファイルフォーマット変換部２６およびファイルサイズ変更部２７を有し、ファイルのフォーマット変換やサイズ変換を行う。フォーマット変換やサイズ変換がなされたファイルは、ファイル変換部１３からマルチメディアファイル取得部２５に出力され、メール作成部２８に渡される。
【００２８】
なお、マルチメディアファイル蓄積部２４から取り出したマルチメディアデータのファイルがプロファイル読出部２３が読出したプロファイルを満たす場合、すなわちファイルを変換しなくても受信端末で再生可能な場合には、マルチメディアファイル取得部２５は、取り出したマルチメディアデータのファイルをファイル変換部１３で変換することなくメール作成部２８に渡す。
【００２９】
メール作成部２８は、アドレス読出部２１によってアドレス蓄積部２０から読み出された送信相手アドレス（受信側メールアドレス）と、マルチメディアファイル取得部２５によってマルチメディアファイル蓄積部２４から読み出され、必要に応じてファイル変換されたマルチメディアファイルと、さらにユーザが必要に応じて入力したメール本文とから、送信メールを作成する。なお、送信メールとして送信されるマルチメディアファイルは、必ずしも一つとは限らず、例えば、静止画像と音声、あるいは動画と音楽といった複数のマルチメディアファイルをマルチメディアファイル取得部２５で用意し、送信メールを作成してもよい。
【００３０】
メール作成部２８において作成された送信メールは、通信部２９に出力され、ネットワーク１２を介して相手端末装置に送信される。
【００３１】
以上のように通信端末装置１０ａは、マルチメディアメッセージを送信する場合に、受信端末側で再生することのできるファイルフォーマットやサイズ等の情報、あるいは個々の受信ユーザが受信メッセージとして許容するファイルフォーマットやサイズ等の情報を通信端末装置１０ａ内にプロファイルとしてアドレス帳等とともに保存しておき、メッセージ送信時に、本プロファイルを参照した上で送信対象マルチメディアファイルを受信ユーザに最適なフォーマットやサイズに自動的に変換した上で送信することができる。
【００３２】
なお、以上のような構成において、通信端末装置１０ａは、例えば携帯電話端末装置あるいは携帯情報端末装置などのマルチメディアメッセージを扱う装置であってもよい。また、アドレス蓄積部２０、プロファイル蓄積部２２、及びマルチメディアファイル蓄積部２４は、例えばフラッシュメモリなどの通信端末装置１０ａに内蔵されるデータストレージ装置内に配置されてもよい。あるいは、通信端末装置１０ａのファイルシステムとして実現されてもよい。さらに、アドレス読出部２１、プロファイル読出部２３、マルチメディアファイル取得部２５、ファイル変換部１３、メール作成部２８、及び通信部２９の全部あるいは一部がメール用のアプリケーションプログラムとして実現されてもよい。
【００３３】
次に、図２、図３を参照して本発明の第１の実施例に係る通信端末装置の動作について詳細に説明する。図３は、本発明の第１の実施例に係る通信端末装置の動作フローを表すフローチャート図である。
【００３４】
メール作成部２８が、アドレス読出部２１に対して、メールの送信対象となる受信側のメールアドレスの読出しを要求する（ステップＳ１１）。
【００３５】
アドレス読出部２１は、アドレス蓄積部２０から受信側のメールアドレスを読み出す。読み出されたデータは、メール作成部２８に渡される（ステップＳ１２）。
【００３６】
メール作成部２８は、プロファイル読出部２３に受信側のプロファイル情報の読出しを要求する（ステップＳ１３）。
【００３７】
プロファイル読出部２３は、プロファイル蓄積部２２から受信側のプロファイル情報を読み出す。なお、受信側のメールアドレスとプロファイル情報とは関連付けて蓄積されているものとする。読み出されたプロファイル情報は、メール作成部２８に渡される（ステップＳ１４）。
【００３８】
メール作成部２８は、マルチメディアファイル取得部２５に対して、受信側に送るマルチメディアファイルの読出しを要求する（ステップＳ１５）。
【００３９】
マルチメディアファイル取得部２５は、マルチメディアファイル蓄積部２４からマルチメディアファイルを読み出す（ステップＳ１６）。
【００４０】
さらに、読み出したファイルを、プロファイル読出部２３がプロファイル蓄積部２２から読み出した受信側のプロファイル情報と比較し、整合するか否かのチェックを行う（ステップＳ１７、Ｓ１８）。
【００４１】
チェックの結果、整合する場合には、ステップＳ２１に進む。また、整合しない場合、すなわち、マルチメディアファイル蓄積部２４から読み出したマルチメディアファイルが、受信側で許容しない、または受信端末で再生できないフォーマットである場合には、ステップＳ１９に進む。
【００４２】
ステップＳ１９で、マルチメディアファイル取得部２５は、マルチメディアファイル蓄積部２４から読み出したマルチメディアファイルを、受信側のプロファイルに適合するようなマルチメディアファイルに変換するようにファイル変換部１３に対して要求する。ファイル変換部１３は、マルチメディアファイル取得部２５からの要求にしたがって、マルチメディアファイルのファイルフォーマットおよびファイルサイズの少なくとも一方を変換する。
【００４３】
マルチメディアファイル取得部２５は、ファイル変換部１３により変換されたマルチメディアデータを取得する（ステップＳ２０）。
【００４４】
メール作成部２８は、マルチメディアファイル蓄積部２４から読み出したマルチメディアファイル、あるいはファイル変換部１３で変換されたマルチメディアファイルをマルチメディアファイル取得部２５から取得する（ステップＳ２１）。
【００４５】
メール作成部２８は、マルチメディアファイル取得部２５から取得したマルチメディアファイル、および受信側のメールアドレス、さらに必要に応じてユーザにより入力された本文を元にメールを作成する（ステップＳ２２）。
【００４６】
最後に、通信部２９に対してメールの送信を要求する（ステップＳ２３）。
【００４７】
次に、プロファイル蓄積部２２に蓄積されるプロファイルについて説明する。図４は、本発明の実施例に係るプロファイルを格納するルックアップテーブルの構成例を示す図である。図４は、受信端末が、動画像（Video）、静止画像（image）、音声あるいは音響信号（Audio）の各メディアに対して再生可能なフォーマット、再生可能なファイルサイズを示している。
【００４８】
例えば、受信端末名が「User_A」では、MPEG4(Moving Picture Experts Group 4)方式で、画面サイズがSubQCIF(Sub Quarter Common Intermediate Format、１２８画素×９６ライン)、100KBまでのファイルサイズの動画像データを再生できることを示す。また、JPEG(Joint Photographic Experts Group)方式で、画面サイズがQCIF（１７６画素×１４４ライン)、30KBまでのファイルサイズの静止画像データを再生できることを示す。さらに、AMR(Adaptive Multi Rate)の音声符号化信号を再生できることを示す。
【００４９】
また、受信端末名が「User_C」では、動画像（Video）、静止画像（image）、音声あるいは音響信号（Audio）の各メディアに対し、いずれも再生できないことを表す。すなわち、テキストのみからなるメールしか受信することができないことを表す。
【００５０】
今、アドレス読出部２１から読み出されたアドレスが「User_B」、マルチメディアファイル取得部２５がマルチメディアファイル蓄積部２４から読み出したデータがJPEGファイルでサイズがVGA(Video Graphics Array、６４０×４８０画素)であったとする。このとき、図４において、受信端末名の「User_B」を参照すると、imageとしては、ファイルフォーマットとしてJPEGが許容されるが、サイズがQCIFとなっているのでVGAサイズの画像を送信しても再生できないことが分かる。この場合、マルチメディアファイル蓄積部２４から取得したマルチメディアデータのサイズは、受信側で許容しない、または受信端末で再生できないサイズであるので、マルチメディアファイル取得部２５は、ファイルサイズ変更部２７に対し、VGAからQCIFにサイズを変換するように要求する。
【００５１】
以上説明したようなルックアップテーブルにより、プロファイル蓄積部２２に蓄積されるプロファイルを表し、このテーブルを参照することで受信側のマルチメディアファイルの再生能力を判断することができる。なお、ルックアップテーブルは、プロファイル読出部２３から参照される。また、後に説明するプロファイル解析更新部３１から内容を参照し更新することができる。さらに、不図示の入力手段によって直接内容の登録更新を行うようにしてもよい。
【実施例２】
【００５２】
次に、本発明の第２の実施例について図面を参照して詳細に説明する。図５は、本発明の第２の実施例に係る通信端末装置の構成を示すブロック図である。図５に示す通信端末装置１０ｂは、図２に示す第１の実施例における通信端末装置１０ａに、配達通知受信部３０、プロファイル解析更新部３１、メール受信部３２、マルチメディアファイル解析部３３、配達通知送信部３４を追加して備える。
【００５３】
メール受信部３２は、通信部２９ａを介して他端末からのメールを受信し、マルチメディアファイル解析部３３に出力する。マルチメディアファイル解析部３３は、他端末からのメールに添付されているマルチメディアファイルを解析して自端末で再生可能かどうかを判断する。再生不可のファイルが含まれている場合は、自端末で再生可能なファイルフォーマットおよびサイズ等の情報を記載したプロファイル情報を付加して配達通知を送信するように配達通知送信部３４に要求する。配達通知送信部３４は、マルチメディアファイル解析部３３からの要求に従い、必要に応じてプロファイル情報を付加して配達通知を通信部２９ａを介して返信する。
【００５４】
次に、以上の構成における動作について説明する。図６は、本発明の第２の実施例に係る通信端末装置の配達通知における動作フローを表すフローチャート図である。図５において、相手端末からメールを受信する（ステップＳ３１）。
【００５５】
マルチメディアファイル解析部３３は、受信したメールに添付されたマルチメディアファイルがあれば、添付されたマルチメディアファイルを解析して通信端末装置１０ｂで再生可能かどうかを判断する。再生できないファイルが含まれていた場合は、マルチメディアファイル解析部３３は、配達通知送信部３４に対して通信端末装置１０ｂ自体のプロファイル情報を付加するように要求する（ステップＳ３２）。配達通知送信部３４は、通信端末装置１０ｂのプロファイルを付加して配達通知を返信する（ステップＳ３３）。
【００５６】
なお、マルチメディアファイル解析部３３は、添付されたマルチメディアファイルを再生できる場合には、不図示の再生・表示手段で再生するように動作する。その時、配達通知送信部３４に対しては、何も要求しない。あるいは、再生できる旨の配達通知を依頼してもよい。
【００５７】
次に、配達通知の受信側の処理について説明する。配達通知受信部３０は、マルチメディアメッセージを受信した相手端末からの配達通知を通信部２９ａを介して受信する。また、この配達通知には、受信した相手端末が許容するマルチメディアファイルフォーマットやサイズを記述したプロファイル情報が含まれている。プロファイル解析更新部３１は、配達通知受信部３０が受信した受信側のプロファイル情報を解析した後、該情報がプロファイル蓄積部２２に未登録である場合、該情報をプロファイル蓄積部２２に蓄積する。この際、相手端末のメールアドレスがアドレス蓄積部２０に登録されていない場合は、プロファイル蓄積部２２に蓄積したプロファイル情報と対応付けして、メールアドレスをアドレス蓄積部２０に登録する。
【００５８】
また、受信したプロファイル情報が、すでにプロファイル蓄積部２２に保存されている情報と異なる場合は、該情報を更新して保存する。
【００５９】
次に、以上の構成における動作について説明する。図７は、本発明の第２の実施例に係る通信端末装置の配達通知受信時における動作フローを表すフローチャート図である。図７において、通信端末装置１０ｂは、スタートすると相手端末から配達通知を受信する（ステップＳ４１）。
【００６０】
プロファイル解析更新部３１は、相手端末からの配達通知にプロファイル情報が含まれていた場合にはプロファイル情報を解析する（ステップＳ４２）。
【００６１】
このプロファイル情報がプロファイル蓄積部２２に未登録である場合またはプロファイル蓄積部２２に保存されている情報と異なる場合には、プロファイル情報をプロファイル蓄積部２２に更新保存する（ステップＳ４３）。
【００６２】
次に、図１を参照して本実施例のメール送受信に係る動作について説明する。但し、図１に示す通信端末装置１０、１１は、図５に示す通信端末装置１０ｂの構成を持つものであるとする。図１の通信端末装置１０は、図３に示したシーケンスに従って通信端末装置１１にマルチメディアファイルを添付したメールを送信する。通信端末装置１１は、図６で示したシーケンスに従ってメールを受信し、再生できないマルチメディアファイルが含まれていた場合には、通信端末装置１１の再生能力を表すプロファイル情報を付加した配達通知を通信端末装置１０に送信する。通信端末装置１０は、図７で示したシーケンスに従って通信端末装置１１からの配達通知を受信し、プロファイル情報を解析し、更新保存する。
【００６３】
このように配達通知によって相手端末の最新のプロファイル情報を入手し、更新保存しておくことで、次にメールを送信する際には、相手端末に対し最適なマルチメディアファイルを送信することができるようになる。また、プロファイル情報を、必要に応じて受信端末からの配達通知等の通知情報に付加することで、自動的にプロファイル情報が更新され、送信時の操作性が向上することとなる。
【図面の簡単な説明】
【００６４】
【図１】本発明の実施形態に係る通信端末装置の機能を模式的に表す図である。
【図２】本発明の第１の実施例に係る通信端末装置の構成を示すブロック図である。
【図３】本発明の第１の実施例に係る通信端末装置の動作フローを表すフローチャート図である。
【図４】本発明の実施例に係るプロファイルを格納するルックアップテーブルの構成例を示す図である。
【図５】本発明の第２の実施例に係る通信端末装置の構成を示すブロック図である。
【図６】本発明の第２の実施例に係る通信端末装置の配達通知における動作フローを表すフローチャート図である。
【図７】本発明の第２の実施例に係る通信端末装置の配達通知受信時における動作フローを表すフローチャート図である。
【符号の説明】
【００６５】
１０、１０ａ、１０ｂ、１１  通信端末装置
１２  ネットワーク
１３  ファイル変換部
１４  メール
１５、１６  画像ファイル
２０  アドレス蓄積部
２１  アドレス読出部
２２  プロファイル蓄積部
２３  プロファイル読出部
２４  マルチメディアファイル蓄積部
２５  マルチメディアファイル取得部
２６  ファイルフォーマット変換部
２７  ファイルサイズ変換部
２８  メール作成部
２９、２９ａ  通信部
３０  配達通知受信部
３１  プロファイル解析更新部
３２  メール受信部
３３  マルチメディアファイル解析部
３４  配達通知送信部
【図１】
2005250976.tif 000003
【図２】
2005250976.tif 000004
【図３】
2005250976.tif 000005
【図４】
2005250976.tif 000006
【図５】
2005250976.tif 000007
【図６】
2005250976.tif 000008
【図７】
2005250976.tif 000009